(57)【要約】  【課題】低消費電力で、かつ、狭い範囲、例えば、駐車場領域内のみを高い照度で照明することが可能な屋外灯を提供する。  【解決手段】側部にくの字状の切り欠き部１ａが形成された器具本体１の内部に、放物面の一部を切り出した形状の反射面を有する反射板２が固着されている。ランプソケット５に装着される、３本のＵ字管３ａ、３ｂ、３ｃよりなる片口金型のコンパクト蛍光ランプ３は、３本のＵ字管３ａ、３ｂ、３ｃの中心が反射板２の放物面の焦点に位置するとともに、Ｕ字管３ａのＵ字面が反射板２の放物面に対向するように取り付けられる。  【選択図】図３
2005251401.tif 000002
【特許請求の範囲】
【請求項１】
器具本体と、上記器具本体内に設けられた放物面を有する反射板と、上記反射板の放物面の焦点に配置された蛍光ランプと、透明カバーとからなる屋外灯であって、
上記蛍光ランプが、互いに内部が連通された３本のＵ字管よりなり、３本のＵ字管の内、一つのＵ字管のＵ字面が上記反射板の放物面に対向していることを特徴とする屋外灯。
【請求項２】
器具本体と、上記器具本体内に設けられた放物面を有する反射板と、上記反射板の放物面の焦点に配置された蛍光ランプと、透明カバーとからなる屋外灯であって、
上記器具本体の側面に切り欠き部が設けられていることを特徴とする屋外灯。
【発明の詳細な説明】
【技術分野】
【０００１】
本発明は、屋外灯、特に、駐車場等に設置するのに好適な屋外灯に関する。
【背景技術】
【０００２】
道路の電柱や駐車場・公園などのポールに取り付けて使用する屋外灯は、数ｍ間隔をおいて設置され、夜間屋外が暗くなると受光センサが働き、器具本体に取り付けられたランプソケットに装着されたランプが点灯し、器具本体の下方に取り付けられている透光カバーを通して路面を明るく照らす。
このような屋外灯の光源としては、寿命が長く効率がよい点から一般にＨＩＤランプが多く用いられている。
【発明の開示】
【発明が解決しようとする課題】
【０００３】
上記のような屋外灯を駐車場に設置する場合、例えば、５台の車両駐車スペースに対して１基の屋外灯を設けて使用されるが、従来の屋外灯は広い面を一様に照明するため、多数の屋外灯を設置しないと、照度が低くなり、駐車スペースのみを明るく照らすことが困難であった。
また、上記のように、従来、屋外灯の光源としてＨＩＤランプが用いられているが、ＨＩＤランプは発熱量が多くランプの表面温度が高くなるとともに、消費電力が大きいという問題もあった。
【０００４】
本発明は、上記の問題に鑑みてなされたもので、低消費電力で、かつ、狭い範囲、例えば、駐車場領域内のみを高い照度で照明することが可能な屋外灯を提供することを目的とする。
【課題を解決するための手段】
【０００５】
上述の目的を達成するため、本発明に係る請求項１の屋外灯は、
器具本体と、上記器具本体内に設けられた放物面を有する反射板と、上記反射板の放物面の焦点に配置された蛍光ランプと、透明カバーとからなる屋外灯であって、
上記蛍光ランプが、互いに内部が連通された３本のＵ字管よりなり、３本のＵ字管の内、一つのＵ字管のＵ字面が上記反射板の放物面に対向していることを特徴とする。
【０００６】
また、本発明に係る請求項２の屋外灯は、
器具本体と、上記器具本体内に設けられた放物面を有する反射板と、上記反射板の放物面の焦点に配置された蛍光ランプと、透明カバーとからなる屋外灯であって、
上記器具本体の側面に切り欠き部が設けられていることを特徴とする。
【発明の効果】
【０００７】
本発明に係る請求項１に記載の屋外灯は、光源として、互いに内部が連通された３本のＵ字管よりなる、高効率で高出力の片口金型蛍光ランプを使用しており、この片口金型蛍光ランプはコンパクトで同じ明るさで消費電力が低いので、屋外灯の消費電力を抑えることが可能となる。
また、放物面を有する反射板により光を縦方向に絞ることができるとともに、蛍光ランプの３本のＵ字管の内、一つのＵ字管のＵ字面が反射板の放物面に対向しているので、前方の特定の狭い範囲に強い光をあてることができ、駐車場に使用すれば、駐車場の所望の範囲内のみを明るく照明することができる。
【０００８】
また、本発明に係る請求項２に記載の屋外灯は、容器本体の側面に切り欠き部が設けられているので、屋外灯の両側面も明るく照明することができ、例えば、駐車場に使用した場合、屋外灯の両側の車両駐車スペースの光の照度を上げることが可能になる。
【実施例】
【０００９】
以下、本発明の屋外灯の実施例について、図面を用いて説明する。
図１は本発明の屋外灯の側面図、図２は屋外灯の器具本体の底面図、図３は屋外灯のグローブを開いた状態を示す斜視図である。
図に示すように、本発明の屋外灯は、下面に開口端部を有する器具本体１と、器具本体１内に配設される反射板２と、蛍光ランプ３と、器具本体１の下方開口を覆い、蛍光ランプ３の光を透光する透光材からなる上方開口したグローブ４とを備えている。
【００１０】
器具本体１は錆びにくく、加工しやすいアルミニウム、鉄または鋼板等でプレスまたは溶接により形成され、図１、図３に示すように、側部にくの字状の切り欠き部１ａが形成されている。この器具本体１の内部にはランプソケット５が固着されているとともに、アルミニウム材の内面に鏡面加工を施した鏡面反射板２が取り付けられている。また、この器具本体１の後部には、穴１ｂを有する取付アーム１ｃが固着されている。なお、この器具本体１内には、図示しない安定器等の電気部品が内蔵されている。
【００１１】
反射板２は、上記のように、アルミニウム材を鏡面加工した高反射率の反射板であり、光源からの光とともに輻射熱も反射し、ネジにより共締めされて器具本体１に固定されている。図１に示すように、この反射板２は放物面の一部を切り出した形状の反射面を有し、この放物面の焦点に蛍光ランプ３が配置されている。
【００１２】
蛍光ランプ３は、３本のＵ字管３ａ、３ｂ、３ｃよりなる片口金型のコンパクト蛍光ランプであって、ランプソケット５に装着される。図に示すように、３本のＵ字管３ａ、３ｂ、３ｃを構成する６本のバルブは、内部空間が連続した空間を形成するように、他端側と一端側で交互に連通させて形成され、両端部、すなわち、Ｕ字管３ａ、３ｃの一端部のみが開口し、この開口側の内面にフィラメント（図示せず）が配設されるとともに、その開口を塞ぐように口金が設けられている。
そして、この蛍光ランプ３の３本のＵ字管３ａ、３ｂ、３ｃの中心が反射板２の放物面の焦点に位置するようにランプソケッ５の位置が設定されているとともに、Ｕ字管３ａのＵ字面が反射板２の放物面に対向するようにランプソケット５に取り付けられる。これにより、Ｕ字管３ａから放射された光が、反射板２により、横（Ｙ）方向での拡散損失が抑えられながら、縦（Ｘ）方向に絞られて効率よく下方に反射される。
【００１３】
アクリル樹脂等の透光性部材で形成された、カバーとしてのグローブ４は、器具本体１の先端で回動自在に軸支され、下方後端にはツマミネジ４ａが回転可能に係着されている。このツマミネジ４ａを器具本体１の下方後端に形成したネジ穴に螺着することによりグローブ４を器具本体１に取り付けることができる。
【００１４】
この屋外灯をポールまたは電柱に設置する場合には、ベルトあるいはバンドを取り付けアーム１ｃの穴１ｂに通し、このベルトまたはバンドをポールまたは電柱に巻きつけ、固定することにより屋外灯を取り付ける。屋外灯を取り付けた後、グローブ４のツマミネジ４ａを緩めて、図３に示すように、グローブ４を開き、蛍光ランプ３をランプソケット５に取り付ける。そして、電源線を接続した後、グローブ４を器具本体１に押し込み、ツマミネジ４ａを締め込んでグローブ４を固定する。
【００１５】
図４、図５は２０台の駐車スペースを有する駐車場に本実施例の屋外灯を設置した例を示す図であり、上記のように、コンパクト形蛍光ランプ３が反射板２の放物面の焦点に配置されるとともに、一つのＵ字管のＵ字面が反射板２の放物面に対向しているので、下方に強い光をあてることができるとともに、器具本体１の側部にくの字状の切り欠き部１ａが形成されているので、屋外灯の左右両側にも光を照射することが可能となり、必要な駐車スペースに照度の高い光をあてることが可能となる。
【００１６】
なお、上記の実施例では、器具本体の側部にくの字状の切り欠き部を設けたが、この切り欠き部の形状は側方に光を照射できれば、どのような形状であってもよい。
また、上記の実施例では、グローブを器具本体の先端で回動自在に軸支し、ツマミネジにより器具本体に取り付けたが、グローブと器具本体の固定方法も様々な態様をとることが可能である。
【図面の簡単な説明】
【００１７】
【図１】本発明の屋外灯の側面を示す図である。
【図２】本発明の屋外灯の器具本体の底面を示す図である。
【図３】本発明の屋外灯のグローブを開いた状態を示す斜視図である。
【図４】本発明の屋外灯を駐車場に設置した例を示す図である。
【図５】図４の屋外灯設置例を側面から見た図である。
【符号の説明】
【００１８】
１  器具本体
１ａ  切り欠き部
１ｂ  穴
１ｃ  取付アーム
２  反射板
３  蛍光ランプ
３ａ、３ｂ、３ｃ  Ｕ字管
４  グローブ
４ａ  ツマミネジ
５  ランプソケット
【図１】
2005251401.tif 000003
【図２】
2005251401.tif 000004
【図３】
2005251401.tif 000005
【図４】
2005251401.tif 000006
【図５】
2005251401.tif 000007